(57)【特許請求の範囲】
【請求項１】
分配器と、
第１のチューナと、
第２のチューナとを備え、
前記分配器は、
第１および第２の面を有する第１の金属ケースと、
前記第１の金属ケースの前記第１の面に配置されたアンテナ端子と、
前記第１の金属ケースの前記第２の面に配置された第１の出力端子と、
前記第１の金属ケースに収容され、前記アンテナ端子に入力された信号を前記第１の出力端子へと出力する分配回路と、
前記第１の金属ケースの前記第２の面に配置され、前記分配回路からの信号を出力する第２の出力端子とを含み、
前記第１のチューナは、
前記第１の金属ケースの前記第２の面と対向する第３の面と、第４の面とを有する第２の金属ケースと、
前記第２の金属ケースの前記第３の面に配置され、前記分配器の前記第１の出力端子から出力された信号を受信する第１の入力端子と、
前記第２の金属ケースの前記第３の面に配置され、前記分配器の前記第２の出力端子からの信号を受信する第２の入力端子と、
前記第２の金属ケースの前記第４の面に配置され、前記第２の入力端子に入力された信号を出力する第３の出力端子と、
前記第２の金属ケースに収容されて、前記第１の入力端子からの信号を受信する第１の受信回路とを含み、
前記第２のチューナは、
前記第２の金属ケースの前記第４の面と対向する第５の面を有する第３の金属ケースと、
前記第３の金属ケースの前記第５の面に配置され、前記第１のチューナの前記第３の出力端子から出力された信号を受信する第３の入力端子と、
前記第３の金属ケースに収容されて、前記第３の入力端子からの信号を受信する第２の受信回路とを含み、
前記第１の入力端子は、前記第１の出力端子と直接接続可能なように構成されるとともに、前記第１の出力端子と向かい合うように前記第３の面に配置され、
前記第２の入力端子は、前記第２の出力端子と直接接続可能なように構成されて、前記第２の出力端子と向かい合うように前記第３の面に配置され、
前記第３の入力端子は、前記第３の出力端子と直接接続可能なように構成されて、前記第３の出力端子と向かい合うように前記第５の面に配置される、受信機。
【請求項２】
前記第２の面は、前記第１の面に隣接する、請求項１に記載の受信機。
【請求項３】
前記第２の面は、前記第１の面と反対側に位置する、請求項１に記載の受信機。
【請求項４】
前記第４の面は、前記第３の面と反対側に位置する、請求項１に記載の受信機。
【請求項５】
前記第４の面は、前記第３の面に隣接する、請求項１に記載の受信機。
【請求項６】
前記第１のチューナは、
前記第２の金属ケース内に収容された第１の基板をさらに含み、
前記第１の入力端子は、前記第２の金属ケースに収容されるとともに、前記第１の基板に直接的に接続され、
前記第３の面の前記第１の入力端子に対応する位置に、開口部が形成される、請求項１に記載の受信機。
【請求項７】
前記第３の入力端子は、前記第３の金属ケースに収容され、
前記第５の面の前記第３の入力端子に対応する位置に、開口部が形成される、請求項１に記載の受信機。
【請求項８】
前記第１のチューナは、
前記第２の金属ケース内に収容された第１の基板をさらに含み、
前記第１および第２の入力端子は、前記第２の金属ケースに収容されるとともに、前記第１の基板に直接的に接続され、
前記第３の面の前記第１および第２の入力端子に対応する位置に、第１および第２の開口部がそれぞれ形成され、
前記第３の出力端子は、伝送線路を介して前記第２の入力端子に接続され、
前記第２のチューナは、
前記第３の金属ケース内に収容された第２の基板をさらに含み、
前記第３の入力端子は、前記第３の金属ケースに収容されるとともに、前記第２の基板に直接的に接続され、
前記第５の面の前記第３の入力端子に対応する位置に、第３の開口部が形成される、請求項１に記載の受信機。
【請求項９】
前記伝送線路は、マイクロストリップラインである、請求項８に記載の受信機。
【請求項１０】
前記分配器は、チューナ機能を有する受信回路をさらに含む、請求項１から請求項９のいずれか１項に記載の受信機。
【発明の詳細な説明】
【技術分野】
【０００１】
本発明は、分配器とチューナとを備えた受信機に関する。
【背景技術】
【０００２】
特開平９-１６３２７０号公報（特許文献１）は、分配器とチューナとの接続あるいはチューナ同士の接続のための手段を開示する。図３１は、特開平９-１６３２７０号公報に開示された受信機の構成を開示した図である。
【０００３】
図３１を参照して、受信機は、スプリッター１０１と、複数のＬ型出力端子１１０と、二重シールドＩＦケーブル１１２と、チューナパック１０３、１０４とを有する。図３１では、１つのＬ型出力端子１１０のみが示されている。スプリッター１０１は、シールドケースに収容されてアンテナ端子１０２からの入力信号を分配する。複数のＬ型出力端子１１０は、スプリッター１０１により分配された信号を出力する。二重シールドＩＦケーブル１１２の一端は、Ｌ型出力端子１１０に接続される。チューナパック１０３，１０４は、シールドケースに収容される。
【０００４】
チューナパック１０３は、Ｌ型入力端子１１１を有する。Ｌ型入力端子１１１には、二重シールドＩＦケーブル１１２の他端が接続される。Ｌ型出力端子１１０及びＬ型入力端子１１１は、二重シールドＩＦケーブル１１２が最短の長さとなるように向かい合って配置される。これにより、チューナ間のクロストークあるいはＥＭＣ（Electromagnetic Compatibility）対策を実現することができる。
【０００５】
特開平１１-３４１３７４号公報（特許文献２）は、分配器とチューナとの接続あるいはチューナ同士の接続のための別の手段を開示する。図３２は、特開平１１-３４１３７４に開示された受信機の斜視図である。図３３は、図３２に示した受信機に使用される第１の電子チューナの正面図である。図３４は、図３３に示した受信機に使用される第２の電子チューナの正面図である。
【０００６】
図３２〜図３４を参照して、受信装置は、親プリント基板２１１と、第１の電子チューナ２１２と、第１の受信処理部２１３と、第２の電子チューナ２１４と、第２の受信処理部２１５とを備える。第１の電子チューナ２１２は、入力端子２２１と、高周波信号の出力端子２２９（図３３を参照）とを有する。第１の電子チューナ２１２の出力端子２２９は、第１の電子チューナ２１２の下方の横側面に設けられる。第２の電子チューナ２１４は、高周波信号の入力端子２４１（図３４を参照）を有する。入力端子２４１は、第２の電子チューナ２１４の下方の横側面に設けられる。第１の電子チューナ２１２の出力端子２２９と、第２の電子チューナ２１４の入力端子２４１とは、親プリント基板２１１に直接半田付けされる。さらに、それらの端子は、親プリント基板２１１に形成されたパターンによって互いに接続される。このような構成により、ケーブルを装着するための別工程が不要となる。
【先行技術文献】
【特許文献】
【０００７】
【特許文献１】特開平９-１６３２７０号公報
【特許文献２】特開平１１-３４１３７４号公報
【発明の概要】
【発明が解決しようとする課題】
【０００８】
特開平９-１６３２７０号公報（特許文献１）に記載の技術によれば、Ｌ型端子のような特殊な部材を使用する必要がある。さらに、分配器とチューナとの間、あるいはチューナ同士の間がＩＦケーブルで接続されている。このために、ケーブルロスが発生するという課題が発生する。さらに、ＩＦケーブルを配置するために、分配器とチューナとの間、あるいはチューナ同士の間にある程度の大きさのスペースを確保する必要がある。したがって、実装スペースの縮小が難しい。
【０００９】
一方、特開平１１-３４１３７４号公報（特許文献２）に記載された技術によれば、一方のチューナの出力端子と他方のチューナの入力端子との間の接続には、高周波コネクタあるいは高周波ケーブルを使用しなくてもよい。このため、複数のチューナ間の間隔を狭めることが可能になる。しかしながら、それら入力端子および出力端子がシールドされていない。このために、最適な特性インピーダンスの値を得ることが難しくなる可能性がある。この場合には、信号のロスあるいは信号波形の歪が生じるという課題が発生する。
【００１０】
さらに、それらの入力端子および出力端子は、親基板において、基板上の配線により接続される。このために、ＥＭＣあるいはクロストークの影響を受けやすくなるという課題も発生する。
【００１１】
本発明は、上記課題を解決するものであり、ＥＭＣあるいはクロストークの影響を受けにくくするとともに、実装スペースを縮小した受信機を提供することを目的とする。
【課題を解決するための手段】
【００１２】
本発明のある局面に係る受信機は、分配器と、第１のチューナとを備える。分配器は、第１および第２の面を有する第１の金属ケースと、第１の金属ケースの第１の面に配置されたアンテナ端子と、第１の金属ケースの第２の面に配置された第１の出力端子と、第１の金属ケースに収容され、アンテナ端子に入力された信号を第１の出力端子へと出力する分配回路とを含む。第１のチューナは、第１の金属ケースの第２の面と対向する第３の面を有する第２の金属ケースと、第２の金属ケースの第３の面に配置され、分配器の第１の出力端子から出力された信号を受信する第１の入力端子と、第２の金属ケースに収容されて、第１の入力端子からの信号を受信する第１の受信回路とを含む。第１の入力端子は、第１の出力端子と直接接続可能なように構成されるとともに、第１の出力端子と向かい合うように第３の面に配置される。
【００１３】
好ましくは、受信機は、第２のチューナをさらに備える。分配器は、第１の金属ケースの第２の面に配置され、分配回路からの信号を出力する第２の出力端子をさらに含む。第２の金属ケースは、第４の面をさらに有する。第１のチューナは、第２の金属ケースの第３の面に配置され、分配器の第２の出力端子からの信号を受信する第２の入力端子と、第２の金属ケースの第４の面に配置され、第２の入力端子に入力された信号を出力する第３の出力端子とを含む。第２のチューナは、第２の金属ケースの第４の面と対向する第５の面を有する第３の金属ケースと、第３の金属ケースの第５の面に配置され、第１のチューナの第３の出力端子から出力された信号を受信する第３の入力端子と、第３の金属ケースに収容されて、第３の入力端子からの信号を受信する第２の受信回路とを含む。第２の入力端子は、第２の出力端子と直接接続可能なように構成されて、第２の出力端子と向かい合うように第３の面に配置される。第３の入力端子は、第３の出力端子と直接接続可能なように構成されて、第３の出力端子と向かい合うように第５の面に配置される。
【００１４】
好ましくは、第２の面は、第１の面に隣接する。
好ましくは、第２の面は、第１の面と反対側に位置する。
【００１５】
好ましくは、第４の面は、第３の面と反対側に位置する。
好ましくは、第４の面は、第３の面に隣接する。
【００１６】
好ましくは、第１のチューナは、第２の金属ケース内に収容された第１の基板をさらに含む。第１の入力端子は、第２の金属ケースに収容されるとともに、第１の基板に直接的に接続される。第３の面の第１の入力端子に対応する位置に、開口部が形成される。
【００１７】
好ましくは、第３の入力端子は、第３の金属ケースに収容される。第５の面の第３の入力端子に対応する位置に、開口部が形成される。
【００１８】
好ましくは、第１のチューナは、第２の金属ケース内に収容された第１の基板をさらに含む。第１および第２の入力端子は、第２の金属ケースに収容されるとともに、第１の基板に直接的に接続される。第３の面の第１および第２の入力端子に対応する位置に、第１および第２の開口部がそれぞれ形成される。第３の出力端子は、伝送線路を介して第２の入力端子に接続される。第２のチューナは、第３の金属ケース内に収容された第２の基板をさらに含む。第３の入力端子は、第３の金属ケースに収容されるとともに、第２の基板に直接的に接続される。第５の面の第３の入力端子に対応する位置に、第３の開口部が形成される。
【００１９】
好ましくは、伝送線路は、マイクロストリップラインである。
好ましくは、分配器は、チューナ機能を有する受信回路をさらに含む。
【発明の効果】
【００２０】
本発明によれば、ＥＭＣあるいはクロストークの影響を受けにくくするとともに、実装スペースを縮小した受信機を提供することが可能になる。
【図面の簡単な説明】
【００２１】
【図１】本発明の第１の実施の形態に係る受信機５１の斜視図である。
【図２】本発明の第１の実施の形態に係る受信機５１の側面図である。
【図３】図１および図２に示した分配器１のブロック図である。
【図４】図１および図２に示した第１のチューナ５のブロック図である。
【図５】本発明の第２の実施の形態に係る受信機５２の斜視図である。
【図６】本発明の第２の実施の形態に係る受信機５２の側面図である。
【図７】図５および図６に示した分配器１のブロック図である。
【図８】図５および図６に示した第１のチューナ５のブロック図である。
【図９】図５および図６に示した第２のチューナ１０のブロック図である。
【図１０】本発明の第３の実施の形態に係る受信機５３の斜視図である。
【図１１】本発明の第３の実施の形態に係る受信機５３の側面図である。
【図１２】本発明の第４の実施の形態に係る受信機５４の斜視図である。
【図１３】本発明の第４の実施の形態における、分配器と第１のチューナとの接続を説明するための図である。
【図１４】本発明の第４の実施の形態における、第１のチューナと第２のチューナとの接続を説明するための図である。
【図１５】本発明の第４の実施の形態に係る別の受信機５４Ａを示した斜視図である。
【図１６】本発明の第５の実施の形態に係る受信機５５の斜視図である。
【図１７】本発明の第５の実施の形態に係る受信機５５に含まれる分配器および第１のチューナの構成を説明するための図である。
【図１８】第５の実施の形態における、第１のチューナ５の内部の構成を示した図である。
【図１９】第１のチューナ５が分配器１に接続された状態を示した図である。
【図２０】第６の実施の形態に係る受信機５６の斜視図である。
【図２１】第６の実施の形態に係る受信機５６を分配器と第１のチューナと第２のチューナとに分解して示した図である。
【図２２】第７の実施の形態に係る受信機５７の斜視図である。
【図２３】第７の実施の形態に係る受信機５７を分配器と第１のチューナと第２のチューナとに分解して示した図である。
【図２４】第７の実施の形態における、第１のチューナ５および第２のチューナ１０の各々の内部の構成を示した図である。
【図２５】第１のチューナが分配器に接続され、第２のチューナが第１のチューナ５に接続された状態を示した図である。
【図２６】金属ケース５ａに内蔵された基板１４の一方の面のパターンを示した図である。
【図２７】基板１４の他方の面のパターンを示した図である。
【図２８】第２の入力端子７が実装された面の反対側から見た基板の斜視図である。
【図２９】第２の入力端子７が実装された面の側から見た基板の斜視図である。
【図３０】第８の実施の形態に係る受信機のブロック図である。
【図３１】特開平９-１６３２７０号公報に開示された受信機の構成を開示した図である。
【図３２】特開平１１-３４１３７４に開示された受信機の斜視図である。
【図３３】図３２に示した受信機に使用される第１の電子チューナの正面図である。
【図３４】図３３に示した受信機に使用される第２の電子チューナの正面図である。
【発明を実施するための形態】
【００２２】
以下において、本発明の実施の形態について図面を参照して詳しく説明する。なお、図中同一または相当部分には同一符号を付してその説明は繰返さない。
【００２３】
なお、以下の説明において、「分配器の側方」とは、アンテナ端子が配置された面（金属ケースの表面）を正面視した場合に、その面の左側または右側、あるいは左右の両側の意味するものとする。
【００２４】
本発明の実施の形態に係る受信機は、たとえばアンテナを介して放送信号を受信する受信機に適用することができる。このような受信機は、たとえばテレビジョン受像機、テレビ番組を録画する機能を有する装置などの装置に適用される。
【００２５】
［実施の形態１］
図１は、本発明の第１の実施の形態に係る受信機５１の斜視図である。図２は、本発明の第１の実施の形態に係る受信機５１の側面図である。
【００２６】
図１および図２を参照して、第１の実施の形態に係る受信機５１は、分配器１と、第１のチューナ５とを備える。分配器１は、金属ケース１ａと、アンテナ端子２と、第１の出力端子３と、金属ケース１ａに収容される分配回路（図示せず）とを有する。
【００２７】
アンテナ端子２は、金属ケース１ａの側面１ｂに配置される。側面１ｂは、「第１の金属ケースの第１の面」に対応する。アンテナ端子２は、図示しないアンテナからの受信信号を受ける。分配器１は、アンテナ端子２に入力した信号を分配する。分配された信号は第１の出力端子３から出力される。
【００２８】
第１の出力端子３は、金属ケース１ａの側面１ｄに配置される。側面１ｄは、側面１ｂの側方に位置する面であるとともに側面１ｂに隣接する。この実施の形態では、側面１ｄが「第１の金属ケースの第２の面」に対応する。
【００２９】
第１のチューナ５は、金属ケース５ａと、第１の入力端子４と、金属ケース５ａに収容される受信回路（図示せず）とを有する。第１の入力端子４は、分配器１の第１の出力端子３から出力された分配信号を受ける。
【００３０】
第１の入力端子４は、金属ケース５ａの側面５ｃに配置される。側面５ｃは、金属ケース１ａの側面１ｄと向かい合う面である。この実施の形態では、側面５ｃが「第２の金属ケースの第３の面」に対応する。
【００３１】
分配器１の第１の出力端子３は、金属ケース１ａの側面１ｄの任意の位置に配置される。第１の入力端子４は、分配器１の第１の出力端子３と直接接続可能に構成され、分配器１の第１の出力端子３と向かい合う。たとえば第１の出力端子３はオス型コネクタであり、第１の入力端子４はメス型コネクタである。ただし、第１の出力端子３がメス型コネクタであり、第１の入力端子４がオス型コネクタであってもよい。この実施の形態によれば分配器１の第１の出力端子３と第１のチューナ５の第１の入力端子４とを直接的に接続することで、高周波ケーブルを使用しなくてもよくなる。これにより分配器１と第１のチューナ５との間の間隔を縮小することができる。
【００３２】
第１の出力端子３および第１の入力端子４には、例えばＦ型端子、ＤＩＮ型端子またはＲＣＡ型端子が使用される。ただし高周波コネクタであれば、特にその種類を限定することなく、第１の出力端子３および第１の入力端子４に適用することができる。高周波コネクタを使用することにより、分配器１および第１のチューナ５の接地が強化される。したがってクロストークあるいはＥＭＣの影響を低減することが可能になる。
【００３３】
金属ケース１ａ，５ａの各々は略直方体である。第１の出力端子３と第１の入力端子４とが接続される方向（金属ケース１ａの側方の方向に対応）の金属ケース１ａの長さは、金属ケース１ａの前後方向（アンテナ端子２の延在する方向）に沿った金属ケース１ａの長さよりも小さい。同じく金属ケース５ａの側方方向に沿った金属ケース５ａの長さは、金属ケース５ａの前後方向（金属ケース１ａの前後方向と同じ方向）に沿った金属ケース５ａの長さよりも小さい。
【００３４】
図３は、図１および図２に示した分配器１のブロック図である。図３を参照して、アンテナ端子２に入力された高周波信号（受信信号）は、分配回路１１によって第１の出力端子３に送られる。第１の出力端子３は、分配回路１１からの高周波信号（すなわち分配信号）を出力する。分配回路１１は金属ケース１ａに収容される。
【００３５】
図４は、図１および図２に示した第１のチューナ５のブロック図である。図４を参照して、分配器１の第１の出力端子３から出力された高周波信号が、第１の入力端子４に入力される。第１の入力端子４に入力された高周波信号は、受信回路１２によって処理される。この処理は、たとえば同調であるが、これに限定されるものではない。受信回路１２は金属ケース５ａに収容される。
【００３６】
第１の実施の形態に係る受信機の構成を要約すれば次のとおりである。受信機５１は、分配器１と、第１のチューナ５とを備える。分配器１は、側面１ｂ，１ｄを有する金属ケース１ａと、金属ケース１ａの側面１ｂに配置されたアンテナ端子２と、金属ケース１ａの側面１ｄに配置された第１の出力端子３と、金属ケース１ａに収容され、アンテナ端子２に入力された信号を第１の出力端子３へと出力する分配回路１１とを含む。第１のチューナ５は、金属ケース１ａの側面１ｄと対向する側面５ｃを有する金属ケース５ａと、金属ケース５ａの側面５ｃに配置され、分配器１の第１の出力端子３から出力された信号を受信する第１の入力端子４と、金属ケース５ａに収容されて、第１の入力端子４からの信号を受信する受信回路１２とを含む。第１の入力端子４は、第１の出力端子３と直接接続可能なように構成されるとともに、第１の出力端子３と向かい合うように金属ケース５ａの側面５ｃに配置される。
【００３７】
さらに、第１の実施の形態では、第１の出力端子３が設けられた金属ケース１ａの面は、アンテナ端子２が設けられた金属ケース１ａの面に隣接する。
【００３８】
第１の実施の形態によれば、分配器１の第１の出力端子３と、第１のチューナ５の第１の入力端子４とが直接的に接続される。第１の出力端子３と第１の入力端子４との間を接続するための配線（たとえば基板上のパターンあるいはケーブル）が存在しないので、クロストークあるいはＥＭＣの影響を低減することが可能になる。また、そのような配線が不要であるため、配線に起因する損失（たとえばケーブルロス）が生じることを防ぐことができる。さらに、第１の実施の形態によれば、第１のチューナ５の第１の入力端子４とが直接的に接続されることにより、分配器とチューナとの間の間隔を縮小することができる。これにより受信機の実装スペースを縮小することができる。
【００３９】
［実施の形態２］
図５は、本発明の第２の実施の形態に係る受信機５２の斜視図である。図６は、本発明の第２の実施の形態に係る受信機５２の側面図である。図５および図６を参照して、第２の実施の形態に係る受信機５２は、第１の実施の形態に係る受信機５１に第２のチューナ１０を加えた構成を有する。
【００４０】
分配器１は、第１の出力端子３に加えて第２の出力端子６を有する。分配器１は、アンテナ端子２から入力された信号を分配して、その分配信号を第１の出力端子３および第２の出力端子６から出力する。第１の出力端子３および第２の出力端子６は、金属ケース１ａの側面１ｄに配置される。
【００４１】
第１のチューナ５は、第１の入力端子４に加えて、第２の入力端子７と、第３の出力端子８とを有する。第１の入力端子４および第２の入力端子７は、金属ケース５ａの側面５ｃに配置される。第３の出力端子８は、金属ケース５ａの側面５ｄに配置される。側面５ｄは側面５ｃの反対側に位置する面である。この実施の形態では、側面５ｄが「第２の金属ケースの第４の面」に対応する。
【００４２】
第１の入力端子４は、分配器１の第１の出力端子３からの分配信号を受信する。第２の入力端子７は、分配器１の第２の出力端子６からの分配信号を受信する。第３の出力端子８は、第２の入力端子７に入力された信号を第１のチューナ５の外部に出力するための端子である。
【００４３】
第２のチューナ１０は、金属ケース１０ａと、第３の入力端子９と、金属ケース１０ａに収容される受信回路（図示せず）とを有する。第３の入力端子９は、金属ケース１０ａの側面１０ｃに配置される。側面１０ｃは、金属ケース５ａの側面５ｄと向かい合う。したがって、この実施の形態では、側面１０ｃが「第３の金属ケースの第５の面」に対応する。第３の入力端子９は、第１のチューナ５の第３の出力端子８から出力された信号を受ける。
【００４４】
金属ケース１０ａは略直方体である。金属ケース１０ａの側方方向に沿った金属ケース１０ａの長さは、金属ケース１０ａの前後方向（金属ケース１ａの前後方向と同じ方向）に沿った金属ケース１０ａの長さよりも小さい。
【００４５】
第１のチューナ５の第２の入力端子７は、分配器１の第２の出力端子６と直接接続可能に構成され、第２の出力端子６と向かい合う。第２の出力端子６と第２の入力端子７とのうちの一方がオス型コネクタ、他方がメス型コネクタとなる。
【００４６】
同じく第２のチューナ１０の第３の入力端子９は、第１のチューナ５の第３の出力端子８と直接接続可能に構成され、第３の出力端子８と向かい合う。第３の出力端子８と第３の入力端子９とのうちの一方がオス型コネクタ、他方がメス型コネクタとなる。出力端子６，８および入力端子７，９には、高周波コネクタを適用することができる。
【００４７】
なお、上述した部分以外の受信機５２の構成は、第１の実施の形態に係る受信機５１の構成と同様であるので、詳細な説明は以後繰り返さない。
【００４８】
図５に示されるように分配器１が設置された状態において、第２の出力端子６は、第１の出力端子３の下側に配置される。さらに受信機５２を側方（側面５ｄに垂直な方向）から見た場合、第２の出力端子６と第３の出力端子８とが略同一の位置に配置されている。
【００４９】
図７は、図５および図６に示した分配器１のブロック図である。図７を参照して、アンテナ端子２に入力された高周波信号が分配回路１１に送られる。分配回路１１は、高周波信号を分配する。分配された信号が第１の出力端子３および第２の出力端子６から出力される。
【００５０】
図８は、図５および図６に示した第１のチューナ５のブロック図である。図８を参照して、分配器１の第１の出力端子３から出力された高周波信号が、第１の入力端子４に入力される。第１の入力端子４に入力された信号は、受信回路１２によって処理される。分配器１の第２の出力端子６から出力された高周波信号が、第２の入力端子７に入力される。第２の入力端子７に入力された高周波信号は、高周波信号のまま第３の出力端子８から出力される。
【００５１】
図９は、図５および図６に示した第２のチューナ１０のブロック図である。図９を参照して、第１のチューナ５の第３の出力端子８から出力された高周波信号が、第３の入力端子９に入力される。第３の入力端子９に入力された高周波信号は、受信回路１３によって処理される。この処理は、たとえば同調であるがこれに限定されない。受信回路１３は金属ケース１０ａに収容される。
【００５２】
第２の実施の形態によれば、第１の実施の形態と同様の効果を得ることができる。第２の実施の形態では、さらに、第１のチューナ５の第３の出力端子８と第２のチューナ１０の第３の入力端子９とが直接的に接続される。これにより、第１および第２のチューナの間の間隔を縮小することができる。第３の出力端子８と第２のチューナ１０の第３の入力端子９とが直接的に接続されることにより、クロストークあるいはＥＭＣの影響を低減することが可能になる。さらに、第３の出力端子８と第２のチューナ１０の第３の入力端子９とが直接的に接続されることにより、配線に起因する損失（たとえばケーブルロス）が生じることを防止できる。
【００５３】
さらに、第２の実施の形態によれば、受信機５２の側方から見て略同一の位置に第２の出力端子６と第３の出力端子８とが同一の位置に配置されている。これにより、分配器１から第２のチューナ１０へと出力される高周波信号の経路を短くすることが可能になる。したがってこの高周波信号のロスを小さくすることが可能になる。
【００５４】
［実施の形態３］
第３の実施の形態に係る受信機は、第１の実施の形態に係る受信機と、分配器の出力端子および第１のチューナの入力端子の配置の点において異なる。
【００５５】
図１０は、本発明の第３の実施の形態に係る受信機５３の斜視図である。図１１は、本発明の第３の実施の形態に係る受信機５３の側面図である。図１０および図１１を参照して、受信機５３において、分配器１の第１の出力端子３は、金属ケース１ａの側面１ｅに配置される。側面１ｅは、アンテナ端子２が設けられた側面１ｂの反対側に位置する。言い換えると第１の出力端子３は、アンテナ端子２が設けられた面の背面に配置される。この実施の形態では、側面１ｅが「第１の金属ケースの第２の面」に対応する。
【００５６】
第１のチューナ５の第１の入力端子４は、金属ケース５ａの側面５ｂに配置される。側面５ｂは、金属ケース１ａの側面１ｅに向かい合う面である。したがってこの実施の形態では、側面５ｂが「第２の金属ケースの第３の面」に対応する。第１の入力端子４は、第１の出力端子３と向かい合うように、金属ケース５ａの側面５ｂに配置される。第１の出力端子３と第１の入力端子４とは直接的に接続される。したがって、分配器１と第１のチューナ５とを高周波ケーブルを用いずに縦続接続する事が可能になる。
【００５７】
第３の実施の形態によれば、第１の実施の形態による効果と同様の効果を得ることができる。また、分配器１の側方に第１のチューナ５を実装できない場合に、分配器１と第１のチューナ５との間の間隔を縮小しながら分配器１と第１のチューナ５とを配置することができる。
【００５８】
［実施の形態４］
第４の実施の形態に係る受信機は、第２の実施の形態に係る受信機と、分配器の出力端子および第１のチューナの入力端子の配置の点において異なる。
【００５９】
図１２は、本発明の第４の実施の形態に係る受信機５４の斜視図である。図１３は、本発明の第４の実施の形態における、分配器と第１のチューナとの接続を説明するための図である。図１４は、本発明の第４の実施の形態における、第１のチューナと第２のチューナとの接続を説明するための図である。
【００６０】
図１２〜図１４を参照して、本発明の第４の実施の形態では、分配器１の第１の出力端子３および第２の出力端子６が金属ケース１ａの側面１ｅ（アンテナ端子２が設けられた面の背面）に配置される。
【００６１】
第１の入力端子４は、第１の出力端子３と向かい合うように、金属ケース５ａの側面５ｂに配置される。第２の入力端子７は、第２の出力端子６と向かい合うように、金属ケース５ａの側面５ｂに配置される。第１の出力端子３と第１の入力端子４とは直接的に接続される。第２の出力端子６と第２の入力端子７とは直接的に接続される。
【００６２】
第１のチューナ５と第２のチューナ１０との間の接続の形態は、第２の実施の形態と同様である。第１のチューナ５の第３の出力端子８は、金属ケース５ａの側面５ｄに配置される。第２のチューナ１０の第３の入力端子９は、金属ケース１０ａの側面１０ｃに配置される。第３の出力端子８と第３の入力端子９とが直接的に接続される。
【００６３】
第３の実施の形態と同様に、この実施の形態によれば、分配器１と第１のチューナ５とを、高周波ケーブルを用いずに縦続接続することが可能になる。さらに第２の実施の形態と同様に、第１のチューナ５と第２のチューナ１０との間の間隔を縮小しながら、第１のチューナ５と第２のチューナ１０とを配置することができる。
【００６４】
なお、第２のチューナ１０は、第１のチューナ５の側面に配置されるものと限定されない。図１５は、本発明の第４の実施の形態に係る別の受信機５４Ａを示した斜視図である。図１５を参照して、第１のチューナ５の第３の出力端子８は、金属ケース５ａの側面５ｅに配置される。第２のチューナ１０の第３の入力端子９は、金属ケース１０ａの側面１０ｂに配置される。金属ケース１０ａの側面１０ｂは、金属ケース５ａの側面５ｅと向かい合う。側面５ｅは、金属ケース５ａの側面５ｂの反対側に位置する。この構成では、側面５ｅが「第２の金属ケースの第４の面」に対応し、側面１０ｂが「第３の金属ケースの第５の面」に対応する。図１５に示された構成によれば、分配器１と、第１のチューナ５と、第２のチューナ１０とをケーブルを用いることなく縦続接続することができる。
【００６５】
第４の実施の形態によれば、第１のチューナ５を分配器１の側方に配置できない場合でも、分配器１と第１のチューナ５とを直接的に接続できるとともに、第１のチューナ５と第２のチューナ１０とを直接的に接続することができる。これにより、第２の実施の形態と同等な効果を得ることができる。
【００６６】
なお、図１２〜図１５に示された構成では、第１の出力端子３の下側に第２の出力端子６が配置されている。ただし、このような配置は、あくまでも一例である。たとえば第１の出力端子３の上側に第２の出力端子６が配置されていてもよい。
【００６７】
［実施の形態５］
図１６は、本発明の第５の実施の形態に係る受信機５５の斜視図である。図１と図１６とを参照して、第５の実施の形態では、第１の実施の形態に比べて、分配器１の側方での分配器１と第１のチューナ５との間の間隔がより小さくなる。たとえば金属ケース１ａと金属ケース５ａとがほぼ接触する程度まで分配器１と第１のチューナ５とを近づけることができる。「ほぼ接触する」とは、金属ケース１ａと金属ケース５ａとが実際に接触している状態でもよい。あるいは「ほぼ接触する」とは、金属ケース１ａと金属ケース５ａとが離れているものの両者の間の隙間が非常に小さい状態でもよい。
【００６８】
図１７は、本発明の第５の実施の形態に係る受信機５５に含まれる分配器および第１のチューナの構成を説明するための図である。図１７を参照して、金属ケース５ａの側面５ｃには開口部２１が形成される。開口部２１の直径は、開口部２１が第１の出力端子３を通すことを可能にする必要最低限の大きさとされる。これにより、第１の出力端子３と第１の入力端子４とが接続された状態において、第１のチューナ５から分配器１に伝播するノイズを抑制することが可能になる。
【００６９】
図１８は、第５の実施の形態における、第１のチューナ５の内部の構成を示した図である。図１９は、第１のチューナ５が分配器１に接続された状態を示した図である。図１８および図１９を参照して、金属ケース５ａの内部に基板１４が収容される。第１の入力端子４は、基板１４に直接的に接続される。さらに受信回路１２（図４を参照）が基板１４に形成される。図１８および図１９では、受信回路１２が基板１４の表面の一部に形成された回路として模式的に示されている。
【００７０】
第１の入力端子４を基板１４に直接接続することにより、第１の入力端子４を金属ケース５ａの内部に収める事が可能になる。したがって、上記のとおり、たとえば金属ケース１ａと金属ケース５ａとがほぼ接触する程度まで分配器１と第１のチューナ５とを近づけることができる。これにより、第１の実施の形態に比べて、分配器１と第１のチューナ５との間の間隔を、より小さくすることができる。
【００７１】
［実施の形態６］
第６の実施の形態に係る受信機は、第４の実施の形態に係る構成と第５の実施の形態に係る構成との組み合わせに相当する構成を有する。
【００７２】
図２０は、第６の実施の形態に係る受信機５６の斜視図である。図２１は、第６の実施の形態に係る受信機５６を分配器と第１のチューナと第２のチューナとに分解して示した図である。図２０および図２１を参照して、分配器１の第１の出力端子３および第２の出力端子６が金属ケース１ａの側面１ｅに配置される。第１のチューナ５の第１の入力端子４および第２の入力端子７は、金属ケース５ａの側面５ｂに配置される。
【００７３】
第２のチューナ１０の金属ケース１０ａの側面１０ｃには開口部２２が形成される。開口部２２の直径は、開口部２２が第３の出力端子８を通すことを可能にする必要最低限の大きさとされる。これにより、第２のチューナ１０から第１のチューナ５、または第１のチューナ５から第２のチューナ１０に伝播するノイズを抑制することが可能になる。第２のチューナ１０の内部の構成は、図１８および図１９に示された第１のチューナ５の内部構成と同様である。
【００７４】
第６の実施の形態によれば、第２の実施の形態あるいは第４の実施の形態に比べて、第１のチューナ５と第２のチューナ１０との間の間隔を縮小することができる。たとえば金属ケース５ａと金属ケース１０ａとがほぼ接触する程度まで第１のチューナ５と第２のチューナ１０とを近づけることができる。
【００７５】
さらに第６の実施の形態によれば、第１のチューナ５を分配器１の側方に配置できない場合でも、分配器１と第１のチューナ５とを直接的に接続できるとともに、第１のチューナ５と第２のチューナ１０とを直接的に接続することができる。これにより、第２の実施の形態あるいは第４の実施の形態による効果と同等な効果を得ることができる。
【００７６】
［実施の形態７］
図２２は、第７の実施の形態に係る受信機５７の斜視図である。図２２を参照して、第７の実施の形態では、第２の実施の形態に比べて、分配器１と第１のチューナ５との間の間隔、および第１のチューナ５と第２のチューナ１０との間の間隔が縮小される。第５の実施の形態と同様に、たとえば金属ケース１ａと金属ケース５ａとがほぼ接触する程度まで分配器１と第１のチューナ５とを近づけることができる。さらに、金属ケース５ａと金属ケース１０ａとがほぼ接触する程度まで第１のチューナ５と第２のチューナ１０とを近づけることができる。
【００７７】
図２３は、第７の実施の形態に係る受信機５７を分配器１と第１のチューナ５と第２のチューナ１０とに分解して示した図である。図２３を参照して、金属ケース５ａの側面５ｃには、開口部２１に加えて開口部２３が形成される。開口部２３の直径は、開口部２３が第２の出力端子６を通すことを可能にする必要最低限の大きさとされる。さらに図２１に示された構成と同様に、金属ケース１０ａの側面１０ｃには開口部２２が形成される。開口部２２の直径は、開口部２２が第３の出力端子８を通すことを可能にする必要最低限の大きさとされる。
【００７８】
図２４は、第７の実施の形態における、第１のチューナ５および第２のチューナ１０の各々の内部の構成を示した図である。図２５は、第１のチューナ５が分配器１に接続され、第２のチューナ１０が第１のチューナ５に接続された状態を示した図である。図２４および図２５を参照して、第１のチューナ５では、第１の入力端子４に加えて、第２の入力端子７が基板１４に直接的に接続される。第１の入力端子４および第２の入力端子７は、基板１４の同一の面に実装される。第１の入力端子４および第２の入力端子７は、金属ケース５ａに収容される。
【００７９】
さらに、第３の出力端子８が金属ケース５ａの側面５ｄに配置される。第３の出力端子８の芯線１７は、基板１４上の伝送線路１６に接続される。伝送線路１６は、第３の出力端子８の芯線１７と第２の入力端子７とを接続する。
【００８０】
特性インピーダンスの変動が生じ得る部分は、芯線１７のうちの外部導体に覆われていない部分となる。外部導体に覆われていない部分は、第３の出力端子８の芯線１７のうち伝送線路１６に接続される部分のみとなる。したがって、図２４に示された構成によれば、特性インピーダンスの変動を小さくすることが可能になる。なお、伝送線路１６はできるだけ短いことが好ましい。
【００８１】
第２のチューナ１０は、金属ケース１０ａに収容された基板１５を有する。第３の入力端子９は、基板１５に直接的に接続される。さらに受信回路１３（図５を参照）が基板１５に形成される。図２４および図２５では、受信回路１３が基板１５の表面の一部に形成された回路として模式的に示されている。
【００８２】
第１の入力端子４および第２の入力端子７を基板１４に直接接続することにより、第１の入力端子４および第２の入力端子７を金属ケース５ａの内部に収める事が可能になる。したがって、第５の実施の形態と同様に、分配器１の第１の出力端子３および第２の出力端子６が第１のチューナ５の第１の入力端子４および第２の入力端子７にそれぞれ接続された状態において、分配器１と第１のチューナ５との間の間隔を、より小さくすることができる。
【００８３】
さらに、第３の入力端子９を基板１５に直接接続することにより、第３の入力端子９を金属ケース１０ａの内部に収める事が可能になる。したがって、第２の実施の形態に係る構成と比較した場合に、第１のチューナ５の第３の出力端子８が第２のチューナ１０の第３の入力端子９に接続された状態において、第１のチューナ５と第２のチューナ１０との間の間隔を、より小さくすることができる。
【００８４】
なお図２２〜図２５は、この実施の形態に係る接続方法の一例を示すものである。たとえば金属ケース１ａの側面１ｄにおける第１の出力端子３および第２の出力端子６の位置は、図２２〜図２５に示されるように限定されるものではない。
【００８５】
次に伝送線路１６の構成の一例を説明する。図２６は、金属ケース５ａに内蔵された基板１４の一方の面のパターンを示した図である。図２７は、基板１４の他方の面のパターンを示した図である。図２８は、第２の入力端子７が実装された面の反対側から見た基板の斜視図である。図２９は、第２の入力端子７が実装された面の側から見た基板の斜視図である。
【００８６】
図２６〜図２９を参照して、基板１４の一方の面（たとえば裏側の面とする）において、伝送線路１６がマイクロストリップラインにより構成される。マイクロストリップラインを用いることにより、簡易な構成により適切な特性インピーダンスを有する伝送線路を形成することが可能になる。伝送線路１６（マイクロストリップライン）の周囲には接地パターン１９が形成される。さらに、伝送線路１６（マイクロストリップライン）が形成された面と反対側の面（表側の面）にも接地パターン１９が形成される。さらに、基板１４には、入力端子（たとえば高周波コネクタ）を基板１４の面に設置する（芯線を通す）ための貫通孔２４，２５が形成される。また、入力端子をねじ等の手段により固定するための貫通孔２６が基板１４に形成される。図２８および図２９に示されるように第２の入力端子７は、基板１４に直接接続することが可能である。なお、図２６〜図２９には示されていないが、第１の入力端子４も第２の入力端子７と同じく基板１４に直接接続することが可能である。
【００８７】
以上のように第７の実施の形態によれば、第２の実施の形態に比べて、分配器１と第１のチューナ５との間の間隔、および第１のチューナ５と第２のチューナ１０との間の間隔を縮小することができる。
【００８８】
［実施の形態８］
第８の実施の形態に係る受信機の全体的な構成は、図１および図２に示された受信機の構成と同様である。ただし、第８の実施の形態では、分配器１がチューナとしても機能する。この点で第８の実施の形態に係る受信機は、第１の実施の形態に係る受信機と異なる。なお第８の実施の形態は、第１から第７のいずれの実施の形態のいずれにも適用することができる。
【００８９】
図３０は、第８の実施の形態に係る受信機のブロック図である。図３および図３０を参照して、第８の実施の形態では、分配器１は、第１の実施の形態に係る構成に受信回路３１が追加された構成を有する。受信回路３１は、第１のチューナ５に含まれる受信回路１２と同様に、高周波信号を処理する機能を有する。
【００９０】
この構成によれば、分配器と１つのチューナとが一体化されている。したがって、複数のチューナを有する受信機の実装スペースをより小さくすることができる。
【００９１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００９２】
１  分配器、１ａ，５ａ，１０ａ  金属ケース、１ｂ〜１ｅ，５ｂ〜５ｅ，１０ｂ，１０ｃ  側面、２，１０２，２２１  アンテナ端子、３  第１の出力端子、４  第１の入力端子、５  第１のチューナ、６  第２の出力端子、７  第２の入力端子、８  第３の出力端子、９  第３の入力端子、１０  第２のチューナ、１１  分配回路、１２，１３，３１  受信回路、１４，１５  基板、１６  伝送線路、１７  芯線、１９  接地パターン、２１〜２３  開口部、２４〜２６  貫通孔、５１〜５７  受信機、１０１  スプリッター、１０３，１０４  チューナパック、１１０  Ｌ型出力端子、１１１  Ｌ型入力端子、１１２  二重シールドＩＦケーブル、２１１  親プリント基板、２１２  第１の電子チューナ、２１３  第１の受信処理部、２１４  第２の電子チューナ、２１５  第２の受信処理部。
【図１】
0005905319.tif 000002
【図２】
0005905319.tif 000003
【図３】
0005905319.tif 000004
【図４】
0005905319.tif 000005
【図５】
0005905319.tif 000006
【図６】
0005905319.tif 000007
【図７】
0005905319.tif 000008
【図８】
0005905319.tif 000009
【図９】
0005905319.tif 000010
【図１０】
0005905319.tif 000011
【図１１】
0005905319.tif 000012
【図１２】
0005905319.tif 000013
【図１３】
0005905319.tif 000014
【図１４】
0005905319.tif 000015
【図１５】
0005905319.tif 000016
【図１６】
0005905319.tif 000017
【図１７】
0005905319.tif 000018
【図１８】
0005905319.tif 000019
【図１９】
0005905319.tif 000020
【図２０】
0005905319.tif 000021
【図２１】
0005905319.tif 000022
【図２２】
0005905319.tif 000023
【図２３】
0005905319.tif 000024
【図２４】
0005905319.tif 000025
【図２５】
0005905319.tif 000026
【図２６】
0005905319.tif 000027
【図２７】
0005905319.tif 000028
【図２８】
0005905319.tif 000029
【図２９】
0005905319.tif 000030
【図３０】
0005905319.tif 000031
【図３１】
0005905319.tif 000032
【図３２】
0005905319.tif 000033
【図３３】
0005905319.tif 000034
【図３４】
0005905319.tif 000035